(57)【要約】  【構成】２つの記録層が形成された光ディスク３０が装着されると、ＤＳＰ５６は１層目の環境を設定する。ＤＳＰ５６は、レジスタ５６ｒに１層目の環境設定値が書き込まれるまでに、単層記録命令を受けたか否か判別する。単層記録命令を受けていれば、ＤＳＰ５６は単層記録を開始する。単層記録命令を受けていなければ、ＤＳＰ５６は２層目の環境の設定を１層目に続けて設定する。  【効果】記録動作を速やかに開始することができる。【選択図】  図２
2006244657.tif 000002
【特許請求の範囲】
【請求項１】
ディスク媒体に形成されたＭ個（Ｍ：２以上の整数）の記録層の各々への記録に適する環境設定を行う環境設定手段、
前記ディスク媒体への記録命令を発行する発行手段、
前記発行手段によって発行された記録命令に従う記録データの量がＮ個（Ｎ：１以上でかつＭ個未満の整数）の記録層に対応する閾値を下回るか否かを判別する第１判別手段、
前記発行手段によって記録命令が既に発行されているか否かを前記Ｎ個の記録層の環境設定が完了した時点で判別する第２判別手段、
前記第１判別手段の判別結果および前記第２判別手段の判別結果がいずれも肯定的であるとき前記環境設定手段の設定動作を中断させる中断手段、および
前記発行手段によって発行された記録命令に従う記録動作を実行する記録手段を備える、ディスク装置。
【請求項２】
前記ディスク媒体は着脱自在であり、
前記環境設定手段は前記ディスク媒体の装着に応答して設定動作を行う、請求項１記載のディスク装置。
【請求項３】
前記ディスク媒体にレーザ光を照射する照射手段をさらに備え、
前記環境設定手段によって設定される環境パラメータはレーザパワーを含む、請求項１または２記載のディスク装置。
【請求項４】
前記照射手段によって照射されたレーザ光を収束させるレンズをさらに備え、
前記環境設定手段によって設定される環境パラメータは前記レンズのオフセットをさらに含む、請求項３記載のディスク装置。
【発明の詳細な説明】
【技術分野】
【０００１】
この発明は、ディスク装置に関し、特にたとえば、複数の記録層を有するディスク媒体に記録する、ディスク装置に関する。
【背景技術】
【０００２】
従来のこの種の装置の一例が、特許文献１に開示されている。この従来技術によれば、複数の記録層が形成されたディスクが装着されると、まず全ての記録層についてテストライトが行われ、各々の記録層に最適なレーザパワーが決定される。記録／再生動作は、テストライトが完了した後に実行される。
【特許文献１】特許公開２００３−３４６３７７９号公報[G11B 7/24,7/004,7/0045,7/007]
【発明の開示】
【発明が解決しようとする課題】
【０００３】
しかし、従来技術では、記録／再生動作の前に全ての記録層についてテストライトが行われるため、記録／再生の開始に時間がかかる。
【０００４】
それゆえに、この発明の主たる目的は、アクセス動作を速やかに開始することができる、ディスク装置を提供することである。
【課題を解決するための手段】
【０００５】
請求項１の発明に従うディスク装置は、ディスク媒体(30)に形成されたＭ個（Ｍ：２以上の整数）の記録層の各々への記録に適する環境設定を行う環境設定手段(S43)、ディスク媒体への記録命令を発行する発行手段(S17,19)、発行手段によって発行された記録命令に従う記録データの量がＮ個（Ｎ：１以上でかつＭ個未満の整数）の記録層に対応する閾値を下回るか否かを判別する第１判別手段(S15)、発行手段によって記録命令が既に発行されているか否かをＮ個の記録層の環境設定が完了した時点で判別する第２判別手段(S47)、第１判別手段の判別結果および第２判別手段の判別結果がいずれも肯定的であるとき環境設定手段の設定動作を中断させる中断手段(S49)、および発行手段によって発行された記録命令に従う記録動作を実行する記録手段(S61-67,S71-91)を備える。
【０００６】
ディスク媒体に形成されたＭ個（Ｍ：２以上の整数）の記録層の各々への記録に適する環境設定は、環境設定手段によって実行される。一方、ディスク媒体への記録命令は、発行手段によって発行される。第１判別手段は、発行手段によって発行された記録命令に従う記録データの量がＮ個（Ｎ：１以上でかつＭ未満の整数）の記録層に対応する閾値を下回るか否かを判別し、第２判別手段は、発行手段によって記録命令が既に発行されているか否かをＮ個の記録層の環境設定が完了した時点で判別する。中断手段は、第１判別手段の判別結果および第２判別手段の判別結果がいずれも肯定的であるとき、環境設定手段の設定動作を中断させる。発行手段によって発行された記録命令に従う記録動作は、記録手段によって実行される。
【０００７】
したがって、記録命令に従う記録データの量が閾値を下回り、かつ閾値に対応するＮ個の記録層の環境設定が完了した時点でこの記録命令が発行されていれば、環境設定動作が中断される。これによって、記録手段は、記録動作を速やかに開始することができる。
【０００８】
請求項２の発明に従うディスク装置は、請求項１に従属し、ディスク媒体は着脱自在であり、環境設定手段はディスク媒体の装着に応答して設定動作を行う。
【０００９】
請求項３の発明に従うディスク装置は、請求項１または２に従属し、ディスク媒体にレーザ光を照射する照射手段(48)をさらに備え、環境設定手段によって設定される環境パラメータはレーザパワーを含む。
【００１０】
請求項４の発明に従うディスク装置は、請求項３に従属し、照射手段によって照射されたレーザ光を収束させるレンズ(42)をさらに備え、環境設定手段によって設定される環境パラメータはレンズのオフセットをさらに含む。
【発明の効果】
【００１１】
この発明によれば、記録命令に従う記録データの量が閾値を下回り、かつ閾値に対応するＮ個の記録層の環境設定が完了した時点でこの記録命令が発行されていれば、環境設定動作が中断される。これによって、記録動作を速やかに開始することができる。
【００１２】
この発明の上述の目的，その他の目的，特徴および利点は、図面を参照して行う以下の実施例の詳細な説明から一層明らかとなろう。
【発明を実施するための最良の形態】
【００１３】
図１を参照して、この実施例のコンテンツ記録再生装置１０は、ＤＶＤ（Digital Versatile Disc）ドライブ１６およびＨＤ（Hard Disc）ドライブ１８を含む。
【００１４】
放映中のコンテンツ（画像データ）をＤＶＤドライブ１６に記録する場合、ユーザが操作キー２２を操作すると、ＣＰＵ２０は、スイッチＳＷ１，ＳＷ２およびＳＷ３の各々にＤＶＤリアルタイム録画命令を与える。これによって、スイッチＳＷ１は端子Ｔ１に接続され、スイッチＳＷ２は端子Ｔ３に接続され、そしてスイッチＳＷ３は端子Ｔ５に接続される。
【００１５】
ディジタル受信機（図示せず）から送られる画像データは、インタフェース（図示せず）を介してＭＰＥＧエンコーダ１２に与えられる。与えられた画像データは、ＭＰＥＧエンコーダ１２によって符号化される。ＭＰＥＧエンコーダ１２は、符号化画像データつまりＭＰＥＧデータをスイッチＳＷ１を通してＭＰＥＧバッファ１４に出力する。ＭＰＥＧバッファ１４に一時的に蓄えられたＭＰＥＧデータは、ＤＶＤドライブ１６によって光ディスク３０に記録される。ＤＶＤドライブ１６の記録動作については、後で詳しく説明する。
【００１６】
ＤＶＤドライブ１６によって光ディスク３０から再生されたＭＰＥＧデータは、スイッチＳＷ３を通してＭＰＥＧバッファ２６に与える。ＭＰＥＧデコーダ２８は、ＭＰＥＧバッファ２６に蓄えられたＭＰＥＧデータを復号し、これによって得られた画像データをモニタ（図示せず）に出力する。
【００１７】
ＤＶＤドライブ１６は、光ディスク３０の記録および再生を行う装置である。図２によれば、ＤＶＤドライブ１６は、光学レンズ４２が設けられた光ピックアップ４０を含む。光学レンズ４２は、トラッキングアクチュエータ２０およびフォーカスアクチュエータ２２によって支持される。
【００１８】
ＥＣＣエンコーダ３６は、ＭＰＥＧバッファ１４から与えられたＭＰＥＧデータに誤り訂正符号化処理を施し、これによって得られた複数のＥＣＣブロックをレーザ駆動回路３８に与える。レーザ駆動回路３８は、与えられたＥＣＣブロックに基づいてレーザダイオード４８を駆動する。レーザダイオード４８から放出されたレーザ光は、光学系部品を経て光ディスク３０の記録面に照射される。この結果、所望のコンテンツが光ディスク３０の記録面に記録される。
【００１９】
光ディスク３０はスピンドル３２の上に搭載され、スピンドルモータ３４によって回転する。光ディスク３０はＺＣＬＶ（Zone Constant Linear Velocity）方式のディスクであり、回転数は光ピックアップ４０が内周から外周へ移動するにつれて低下する。
【００２０】
実施例の光ディスク３０は、未記録の片面２層ＤＶＤ＋Ｒであり、ＤＶＤと同じ０．６ｍｍの厚さのディスクを２枚張り合わせた１．２ｍｍの厚さを有する。光ディスク３０はまた、図３に示すように、同心円状に区分され、内側から外側に向けて順に形成されたリードインエリア３０ａおよびデータエリア３０ｂを有する。なお、この実施例でのデータエリア３０ｂに記録できる情報量は、１層目のみであれば４．７Ｇバイトであり、１層目と２層目を合わせると８．５Ｇバイトを有する。
【００２１】
図２に戻って、光ピックアップ４０はスレッド４０ｓによって支持される。スレッド４０ｓは、光ディスク３０の半径方向に沿って点Ｐ１から点Ｐ２の範囲で可動であり、光ディスク３０の回転に伴い点Ｐ１からＰ２まで移動する。
【００２２】
レーザダイオード４８から放出されたレーザ光は、グレーディング（図示せず）によって分光される。これによって、１つのメインビームＭと２つのサブビームＳ１およびＳ２とが生成される。生成されたビームＭ，Ｓ１およびＳ２は、光学レンズ４２で収束された後、光ディスク３０の記録層つまりデータエリア３０ｂに照射される。メインビームＭは所望のトラックに照射され、サブビームＳ１およびＳ２は所望のトラックの両側に隣接するトラックに照射される。
【００２３】
記録層で反射されたメインビームＭ，サブビームＳ１およびＳ２は、光学レンズ４２を経た後、ウォラストンプリズム(図示せず)によってさらに分光される。分光されたビームＭ，Ｓ１およびＳ２は、光検出器５０によって検出される。光検出器５０は、検出結果を演算回路５２に与える。
【００２４】
演算回路５２は、所定数の加算回路および所定数の減算回路（いずれも図示せず）を含み、ＴＥ（Tracking Error）信号、ＦＥ（Focus Error）信号およびＲＦ（Radio Frequency）信号を生成する。
【００２５】
演算回路５２から出力されたＦＥ信号は、Ａ／Ｄ変換器５４ｂを介してＤＳＰ（Digital Signal Processor）５６に与えられる。ＤＳＰ５６は、与えられたＦＥ信号に基づいてフォーカスサーボを実行し、フォーカス制御電圧を生成する。生成されたフォーカス制御電圧はＰＷＭ変調回路５８ｂに入力され、ＰＷＭ変調回路５８ｂは、入力されたフォーカス制御電圧に対応するパルス幅を持つＰＷＭ信号をフォーカスアクチュエータ２２に与える。これによって、フォーカスつまり光学レンズ４２の光軸上の位置が調整される。
【００２６】
演算回路２８から出力されたＴＥ信号は、Ａ／Ｄ変換器３０ａを介してＤＳＰ５６に与えられる。ＤＳＰ５６は、与えられたＴＥ信号に基づいてトラッキング制御およびスレッド制御を実行し、トラッキングアクチュエータ制御電圧およびスレッド制御電圧を生成する。ＰＷＭ変調回路５８ａおよび５８ｂはそれぞれ、スレッド制御電圧およびトラッキングアクチュエータ制御電圧に対応するパルス幅のＰＷＭ信号を生成し、生成されたＰＷＭ信号をスレッドモータ６０およびトラッキングアクチュエータ４４に与える。これによって、光学レンズ４２の径方向の位置と、スレッドモータ６０の回転量とが制御される。
【００２７】
なお、ＤＳＰ５６は、以上のフォーカスサーボ，トラッキングサーボおよびスレッドサーボに加えて、スピンドルサーボも実行する。このサーボ処理によって、スピンドルモータ３４から出力されたＦＧパルスの周期が所定値を示すように、スピンドルモータ３４の回転が制御される。
【００２８】
演算回路５２から出力されたＲＦ信号は、Ａ／Ｄ変換器５４ｃを介してＤＳＰ５６に与えられる。ＲＦ信号の波形は、トラックに形成されたアドレス値を反映する。ＤＳＰ５６は、与えられたＲＦ信号からアドレス値を検出してレジスタ５６ｒに一時保持する処理を行う。
【００２９】
なお、再生モードが選択されると、ＤＳＰ５６は、与えられたＲＦ信号からＥＣＣブロックも生成する。ＥＣＣデコーダ６２は、生成されたＥＣＣブロックに誤り訂正復号処理を施し、復号されたＭＰＥＧデータをスイッチＳＷ３に向けて出力する。
【００３０】
図１に戻って、放映中のコンテンツをＨＤドライブ１８に記録する場合、ユーザが操作キー２２を操作すると、ＣＰＵ２０は、スイッチＳＷ１，ＳＷ２およびＳＷ３の各々にＨＤリアルタイム録画命令を与える。これによって、スイッチＳＷ１は端子Ｔ１に接続され、スイッチＳＷ２は端子Ｔ４に接続され、そしてスイッチＳＷ３は端子Ｔ６に接続される。
【００３１】
ＨＤドライブ１８はＭＰＥＧバッファ１４に蓄えられたＭＰＥＧデータをハードディスク（図示せず）に記録する。また、再生モードでＨＤドライブ１８から再生されたＭＰＥＧデータは、スイッチＳＷ３を通してＭＰＥＧバッファ２６に与えられる。
【００３２】
ＨＤドライブ１８中のコンテンツをＤＶＤドライブ１６に記録する場合、ユーザが操作キー２２を操作すると、ＣＰＵ２０は、スイッチＳＷ１，ＳＷ２およびＳＷ３にダビング命令を与える。スイッチＳＷ１は端子Ｔ２に接続され、スイッチＳＷ２は端子Ｔ３に接続され、そしてスイッチＳＷ３は端子Ｔ６に接続される。ＨＤドライブ１８から出力されたＭＰＥＧデータは、スイッチＳＷ３，ＭＰＥＧバッファ２６，スイッチＳＷ１，ＭＰＥＧバッファ１４およびスイッチＳＷ２を経て、ＤＶＤドライブ１６に与えられる。
【００３３】
図２に示すＤＳＰ５６は、図４（Ａ）に示すレジスタ５６ｒ，図４（Ｂ）に示すレジスタ５６ｐおよび図４（Ｃ）に示すレジスタ５６ｔを含む。光ピックアップ４０が光ディスク３０の各々の層における環境を設定するとき、ＤＳＰ５６はレジスタ５６ｒを参照する。レジスタ５６ｒは、コラム［０］および［１］を有する。ＤＳＰ５６は、コラム［０］に光ディスク３０の１層目を割り当て、コラム［１］に光ディスク３０の２層目を割り当てる。これによって、１層目の環境設定値がコラム［０］に書き込まれ、２層目の環境設定値がコラム［１］に書き込まれる。この結果、注目する層の環境設定値を参照することにより、注目する層に記録される開始時期が早くなる。
【００３４】
ＤＳＰ５６は、記録中、ＲＦ信号から検出されたアドレス値をレジスタ５６ｐに一時保持している。図４（Ｂ）によれば、レジスタ５６ｐはリング状に構成された所定数のレジスタ領域を含む。ＲＦ信号から順次検出されるアドレス値は、これらのレジスタ領域の各々に順番に書き込まれていく。全てのレジスタ領域にアドレス値が書き込まれると、新たに検出されたアドレス値によって最古のアドレス値が上書きされる。従って、記録中、レジスタ５６ｐには常時、最新のものから順番に所定数のアドレス値が保持されていることになる。
【００３５】
ＤＳＰ５６は、ＣＰＵ２０から折り返し通知を受けると、この通知に折り返し位置情報として含まれるアドレス値をレジスタ５６ｔに設定する。また、１層目の記録が終了すると、ＤＰＳ５６はレジスタ５６ｐが保持する最新のアドレス値を折り返し位置情報としてレジスタ５６ｔに設定する。
【００３６】
ＣＰＵ２０は、図５および図６に示されるフロー図を処理し、ＤＳＰ５６は、図７，図９，および図１０に示されるフロー図に従って動作する。なお、図５および図６に示すフロー図に対応するプログラムは、フラッシュメモリ２４に格納される。また、ＤＳＰ５６は、実際には論理回路によって形成されるが、説明の便宜上、フロー図を用いる。
【００３７】
図５を参照して、ＣＰＵ２０は、ステップＳ１で電源が投入されると、ステップＳ３に進み、光ディスク３０がトレイ（図示せず）にセットされているか否か判断する。判断結果がＮＯであれば待機し、ＹＥＳであればステップＳ５に進む。なお、待機中には、操作キー２２からの命令に応じてトレイの開閉を行う。
【００３８】
ステップＳ５では、ＤＳＰ５６に初期設定を命令する。ステップＳ７では、操作キー２２によって録画開始操作を受けたか否か判断する。判断結果がＮＯであれば待機し、ＹＥＳであれば、操作キー２２によって出力される録画モードを検出する。ステップＳ１１では、検出された録画モードがダビングモードか否か判断する。判断結果がＮＯであれば、ステップＳ１９に進み、ＤＳＰ５６に多層記録を命令し、判断結果がＹＥＳであればステップＳ１３に進み、録画すべきコンテンツの容量を検出する。検出後、ステップＳ１５でかかる容量が２．５ＧＢ以下であるか否か判断する。判断結果がＮＯであれば、ステップＳ１９に進み、判断結果がＹＥＳであれば、ステップＳ１７に進み、ＤＳＰ５６に単層記録を命令する。
【００３９】
ステップＳ１９では、録画終了操作が行われたか否か判断し、操作キー２２によって録画終了操作を受けると、ステップＳ２１に進み、ＤＳＰ５６に録画停止を命令する。ステップＳ２５では、キー操作によってトレイの取り出し操作を受けたか否か判断し、取り出し操作を受けると、ステップＳ２７に進む。ステップＳ２７では、レジスタ５６ｔに折り返し位置情報が格納されているか否か判断する。判断結果がＮＯであれば、ステップＳ３１に進む。また、判断結果がＹＥＳであればステップＳ２９に進み、折り返し位置をリードインエリア３０ｂに記録し、ステップＳ２１に進む。ステップＳ３１では、アドレスレジスタ５６ｐの最新のアドレス値を終端値としてリードインエリア３０ａに記録する。
【００４０】
ステップＳ５の初期設定命令に応答するＤＳＰ５６の動作を図７を用いて説明する。ステップＳ４１では、光ディスク３０の１層目のサーボを実行する。具体的には、フォーカスサーボ，トラッキングサーボ，スレッドサーボおよびスピンドルサーボを実行し、光ディスク３０の１層目のデータエリア３０ａにレーザ光を照射できる位置まで光ピックアップ４０を移動させる。ステップＳ４３では、１層目の環境を設定する。具体的には、光ピックアップ３０を制御するオフセット値，ゲインおよびレベルの各々を調整し、レーザ光を制御するパワー較正を行う。ステップＳ４５では、１層目における光ピックアップ４０の調整値とレーザダイオード４８のパワー較正値とを１層目の環境設定値としてレジスタ５６ｒのコラム［０］に書き込む。
【００４１】
ステップＳ４７では、ＣＰＵ２０によって記録命令は発行済みか否かを判断する。判断結果がＹＥＳであれば、ステップＳ４９に進み、判断結果がＮＯであれば、２層目の環境設定値を取得するため、ステップＳ５１に進む。ステップＳ４７では、記録命令が単層記録か否かを判断する。判断結果がＹＥＳであれば、ここで初期設定を終了し、判断結果がＮＯであれば、ステップＳ５１に進む。ステップＳ５１では、レーザ光が２層目に照射できるようにサーボを実行する。ステップＳ５３では、２層目の環境を設定する。ステップＳ５５では、２層目における光ピックアップ４０の調整値とレーザダイオード４８のパワー較正値とを２層目の環境設定値としてレジスタ５６ｒのコラム［１］に設定する。これによって、単層記録では、図８に示すように記録の開始時期を速やかに行うことができる。また、多層記録では、１層目から２層目への記録開始時期が早くなる。ひいては、移送の最中に送られてくるコンテンツを正しく録画することができる。
【００４２】
ステップＳ１７の単層記録命令に応答するＤＳＰ５６の動作を図９を用いて説明する。ステップＳ６１では、初期設定が完了するまで待機する。初期設定が完了すると、ステップＳ６３に進み、ＭＰＥＧバッファ１４に蓄えられた記録すべきコンテンツの記録を開始し、光ディスク３０の１層目に書き込む。ステップＳ６５では、記録すべきコンテンツの記録が終了するまで待機し、終了すると、ＭＰＥＧバッファ１４からの記録を終了する。
【００４３】
ステップＳ１９の多層記録命令に応答するＤＳＰ５６の動作を図１０を用いて説明する。ステップＳ７１では、初期設定が完了するまで待機する。初期設定が完了すると、ステップＳ７３に進み、１層目に記録処理を実行するための微調整を行う。具体的には、レジスタ５６ｒのコラム［０］から１層目の環境値を読み取り、この環境値に基づいて、光ピックアップ３０を制御するオフセット値，ゲインおよびレベルの各々を調整し、レーザ光を制御するパワー較正を行う。微調整が完了すると、ステップＳ７５でＭＰＥＧ１４に蓄えられた記録すべきコンテンツの記録を開始し、光ディスク３０の１層目に書き込む。
【００４４】
ステップＳ７７では、光ディスク３０に照射されたレーザ光が折り返し領域到達したか否か判断する。判断結果がＮＯであれば、ステップＳ７９に進み、記録すべきコンテンツが終了したか否か判断する。記録すべきコンテンツが終了していれば、ステップＳ９１に進み、記録すべきコンテンツが終了していなければ、ステップＳ７７に戻る。
【００４５】
一方、ステップＳ７７で判断結果がＹＥＳであれば、ステップＳ８１に進み、記録すべきコンテンツの記録を停止させる。ステップＳ８３では、折り返し位置のアドレス値をレジスタ５６ｔに登録し、続くステップＳ８５では２層目に記録処理を実行するための微調整を行う。
【００４６】
微調整が完了すると、ステップＳ８７では、記録すべきコンテンツの続きから記録を開始し、光ディスク３０の２層目に書き込む。ステップＳ８９では、記録すべきコンテンツの記録が終了するまで待機する。記録すべきコンテンツの記録が終了すると、ステップＳ９１に進み、ＭＰＥＧバッファ１４からの記録を終了する。
【００４７】
以上の説明から分かるように、この実施例では、２つの記録層が形成された光ディスク３０が装着されると、ＤＳＰ５６は１層目の環境を設定する。環境設定値は、ＤＳＰ５６によってレジスタ５６ｒに書き込まれる。ＤＳＰ５６は、レジスタ５６ｒに１層目の環境設定値が書き込まれるまでに、単層記録命令を受けたか否か判別する。単層記録命令を受けていれば、ＤＳＰ５６は単層記録を開始する。単層記録命令を受けていなければ、ＤＳＰ５６は２層目の環境の設定を１層目に続けて設定する。これによって、単層記録では、記録開始を速やかに行うことができる。また、多層記録では、１層目から２層目への記録開始が早くなる。
【００４８】
なお、この実施例では、光ディスク３０として２層ＤＶＤ＋Ｒについてのみ説明したが、他の記録可能な光ディスクつまりＭＯ，ＣＤ−Ｒ，ＣＤ±ＲＷ，ＤＶＤ±ＲＷなどの記録方式を有する２層光ディスクにも適用することができる。
【００４９】
また、この実施例では、光ディスク３０が２層を有するものとして説明したが、これに限らず、多層構造をもつ光ディスクについても適用することができる。
【図面の簡単な説明】
【００５０】
【図１】この発明の一実施例の構成を示すブロック図である。
【図２】この発明の他の一実施例の構成を示すブロック図である。
【図３】光ディスク３０の概略構成を示す図解図である。
【図４】（Ａ）は、レジスタ５６ｒの構成を示す図解図であり、（Ｂ）はレジスタ５６ｐの構成およびそこに保持されたアドレス情報を示す図解図であり、（Ｃ）はレジスタ５６ｔの構成を示す図解図である。
【図５】ＣＰＵ２０動作の一部を示すフロー図である。
【図６】ＣＰＵ２０動作の他の一部を示すフロー図である。
【図７】ＤＳＰ５６動作の一部を示すフロー図である。
【図８】この発明のその他の実施例の動作を示す図解図である。
【図９】ＤＳＰ５６動作の他の一部を示すフロー図である。
【図１０】ＤＳＰ５６動作のその他の一部を示すフロー図である。
【符号の説明】
【００５１】
１０  …  コンテンツ記録再生装置
１２  …  光ディスクドライブ
１６  …  ＤＶＤドライブ
１８  …  ＨＤドライブ
２０  …  ＣＰＵ
３０  …  光ディスク
３６  …  ＥＣＣエンコーダ
３８  …  レーザ駆動回路
４０  …  光ピックアップ
４２  …  光学レンズ
４８  …  レーザダイオード
５０  …  光検出器
５６  …  ＤＳＰ
６２  …  ＥＣＣデコーダ
【図１】
2006244657.tif 000003
【図２】
2006244657.tif 000004
【図３】
2006244657.tif 000005
【図４】
2006244657.tif 000006
【図５】
2006244657.tif 000007
【図６】
2006244657.tif 000008
【図７】
2006244657.tif 000009
【図８】
2006244657.tif 000010
【図９】
2006244657.tif 000011
【図１０】
2006244657.tif 000012